(57)【要約】      （修正有）【課題】台紙に書類を綴じた場合に、書類を長期間保存した場合において、書類の下端面が折れ曲がることなく、上部の綴じ穴の周辺が破損し難いフラットファイルを提供する。【解決手段】矩形の台紙１０と、この台紙１０の長手方向のほぼ中央部に固着される一対の綴じ足２０と、この一対の綴じ足２０に一対の綴じ穴３ａをあけた書類３を挿通して書類３を抑える押え板とを備え、書類３を綴じるフラットファイルにおいて、台紙１０に固着される一対の綴じ足２０の装着位置を、台紙１０の下端面１０ａと書類３の下端面３ｂが一致するように、台紙１０の短手方向の中心線より台紙１０の下端面１０ａ方向に偏心させて設ける。【選択図】図１
0003180708.tif 000002
【実用新案登録請求の範囲】
【請求項１】
矩形の台紙と、この台紙の長手方向のほぼ中央部に固着される一対の綴じ足と、この一対の綴じ足に一対の綴じ穴をあけた書類を挿通して上記書類を抑える押え板とを備え、上記書類を綴じるフラットファイルにおいて、上記台紙に固着される上記一対の綴じ足の装着位置を、上記台紙の下端面と上記書類の下端面が一致するように、上記台紙の短手方向の中心位置より上記台紙の下端面方向に偏心させて設けたことを特徴とするフラットファイル。
【考案の詳細な説明】
【技術分野】
【０００１】  本考案は、書類を綴じて保存するフラットファイルに関するものである。
【背景技術】
【０００２】    図２は、従来のフラットファイルを示す平面図であり、書類を綴じ足に差し込んだ状態を示す。図において、１は台紙、２は台紙１の短手方向（図２において、上下方向）の中心線Ｃ１から上下方向に等間隔の位置に台紙１の内側（図２において表側）に突出するように設けられた１対の綴じ足である。なお図２において、綴じ足２を押える押さえ板は省略している。３は保存する書類である。台紙１に書類３を保存する場合、先ず、書類３の長手方向（図２において、上下方向）の中心線Ｃ３から上下方向に等間隔の位置に１対の綴じ穴３ａを開ける。次に、書類３に開けた綴じ穴３ａを台紙１の綴じ足２に差し込み図示しない押え板を所定の位置へ移動させることにより書類３を台紙１に保存できる構造である。（例えば、特許文献１参照。）
なお、台紙１は一般的な縦型のフラットファイルの場合、展開形状が矩形であり、短手方向（図２において、上下方向）の寸法が書類３の長手方向（図２において、上下方向）の寸法より長く形成されている。
【先行技術文献】
【特許文献】
【０００３】
【特許文献１】  登録実用新案第３０７８２４１号公報
【考案の概要】
【考案が解決しようとする課題】
【０００４】  図２に示すような従来のフラットファイルでは、台紙１の中心線Ｃ１から等間隔の位置に一対の綴じ足２が設けられているため、書類３に綴じ穴３ａを開け綴じ足２に差し込んで保存した場合、台紙１の中心線Ｃ１と書類３の中心線Ｃ３が一致するようになり、書類３の長手方向の寸法が台紙１の短手方向の寸法より短いために、台紙１の下端面１ａと書類３の下端面３ｂとの間において距離Ｌ分の空間Ｇが生じる。また、一般的に台紙１の綴じ足２の外形が書類３の綴じ穴３ａの内径より小さく形成されているため、台紙１を立てて（縦位置）書類棚等に挿入し長期間保存した場合、書類３の下端面３ｂの右端３ｃが下方にずれ書類棚等と接触するようになり書類３の下端面３ｂの右端３ｃが折れ曲がったり、また書類３の綴じ穴３ａのうち上部の綴じ穴３ａに負荷がかかり上部の綴じ穴３ａの周辺が破損したりするという問題点があった。【０００５】  本考案は、上述のような問題点を解決するためになされたもので、台紙に書類を綴じた場合に、書類を長期間保存した場合において、書類の下端面が折れ曲がることなく、上部の綴じ穴３ａの周辺が破損し難いフラットファイルを得ることを目的とする。
【課題を解決するための手段】
【０００６】  この考案のフラットファイルは、矩形の台紙と、この台紙の長手方向のほぼ中央部に固着された一対の綴じ足と、この一対の綴じ足に一対の綴じ穴をあけた書類を挿通して書類を抑える押え板とを備え、書類を綴じるフラットファイルにおいて、台紙に固着される一対の綴じ足の装着位置を、台紙の下端面と書類の下端面が一致するように、台紙の短手方向の中心位置より台紙の下端面方向に偏心させて設けたものである。
【考案の効果】
【０００７】  本考案のフラットファイルは、台紙に固着される一対の綴じ足の装着位置を、台紙の下端面と書類の下端面が一致するように、台紙の短手方向の中心位置より台紙の下端面方向に偏心させて設けたもので、台紙の下端面と書類の下端面が一致するため、フラットファイルを立てて（縦位置）書類棚等へ挿入し長期間保存しても、上部の綴じ穴の周辺にかかる負荷が軽減され、上部の綴じ穴の周辺が破損することが無くなるとともに、書類の下端面の右端が折れ曲がることなく、書類を長期間きれいに保存できる。
【図面の簡単な説明】
【０００８】
【図１】  本考案のフラットファイルを示す平面図であり、用紙を綴じ足に差し込んだ状態を示す。
【図２】  従来のフラットファイルを示す平面図であり、用紙を綴じ足に差し込んだ状態を示す。
【考案を実施するための形態】
【実施例１】
【０００９】  図１は、本考案のフラットファイルを示す平面図であり、書類を綴じ足に差し込んだ状態を示す。なお、本図では押さえ板を省略している。図１において、図２と同様なものは同じ符号を付けてその説明を省略する。
１００はフラットファイルであり、台紙１０と、この台紙１０に固着される綴じ足２０と、図示しない押え板で構成されている。１０は展開形状が矩形の台紙であり、紙または合成樹脂材料で形成され、短手方向（図１において、上下方向）の寸法が書類３の長手方向（図１において、上下方向）の寸法より長く形成されている。【００１０】  ２０は一対の綴じ足であり、台紙１０の短手方向（図１において、上下方向）の中心線Ｃ１０から下方に、図２における距離Ｌ分だけずれた位置、すなわち、台紙１０に固着される一対の綴じ足２０の装着位置を、台紙１０の下端面１０ａと書類３の下端面３ｂが一致するように、台紙１０の短手方向の中心線Ｃ１０より台紙１０の下端面１０ａ方向に、図２における距離Ｌ分だけ偏心させた位置に設けられている。
なお、綴じ足２０を台紙１０への装着方法は図示しないが、一般的に台紙１０に一対の綴じ穴を開けて、その綴じ穴へ綴じ足２０を通す方法や、台紙１０の背面に綴じ足２０を貼付して固着する方法等がある。【００１１】  このように構成されたフラットファイルにおいては、書類３を保存する場合、先ず、従来と同じように書類３の中心線Ｃ３から上下方向に等間隔の位置に１対の綴じ穴３ａを開ける。次に、書類３に開けた綴じ穴３ａを台紙１０に装着された綴じ足２０に差し込み図示しない押え板を所定の位置へ移動させることにより書類３を台紙１０に保存できる。
この時、台紙１０の下端面１０ａと書類３の下端面３ｂが一致しているので、台紙１０を立てて（縦位置）書類棚等へ挿入し長期間保存しても、台紙１０の下端面１０ａと書類３の下端面３ｂが一致しているので、上部の綴じ穴３ａの周辺にかかる負荷が軽減され、上部の綴じ穴３ａの周辺が破損することが無くなるとともに、書類３の下端面３ｂの右端３ｃが折れ曲がることなく、書類３を長期間きれいに保存できる。【００１２】  本考案のフラットファイルは、台紙１０に書類３を綴じた場合、下端面１０ａと書類３の下端面３ｂが一致するように綴じ足２を設けたため、書類棚との接触する面積が広くなり、立てて（縦位置）保存した場合の安定度が増す効果もある。なお、書類３に開ける一対の綴じ穴３ａは、従来通り書類３の中心線Ｃ３から上下方向に等間隔の位置に開けるため、書類３に穴を開けるパンチも従来品と同じものを使用できる。
なお、台紙１０の高さを、図２における距離Ｌ分だけ短くすれば、従来のフラットファイルより短手方向の寸法を低くできるため、フラットファイルのサイズが小さくなり、台紙１０の材料削減や保管場所の縮小が可能となり、資源や場所の有効利用ができる。【００１３】  なおまた、この実施例１のフラットファイルでは、縦型Ａ４サイズのフラットファイルについて説明したが、様々なサイズのものや横型のものなど他の種々のファイルにも、本考案は適用できる。
【符号の説明】
【００１４】３  書類、３ａ  書類の綴じ穴、３ｂ  書類の下端面、３ｃ  書類の下端面の右端、
１０  台紙、１０ａ  台紙の下端面、２０  綴じ足、Ｃ３  書類の長手方向の中心線、
Ｃ１０  台紙の短手方向の中心線
【図１】
0003180708.tif 000003
【図２】
0003180708.tif 000004